(57)【要約】【課題】接地面に対して結合容器体の高さ位置を膝の高さに保持することで、洗濯物や小物品の出し入れする動作の姿勢を楽にする収納容器の提供。【解決手段】支柱が容器中空部内に格納され係止された状態で、操作板を外部方向へスライドさせると、操作板と支柱係止溝との係止状態が解放され、収納容器の持ち上げにより脚体が自重で自然落下し支柱先端部に固着された掛止片がテーパー孔に埋没し掛止される。この状態で操作板を元に戻すと操作板が先端部の中空部への逆入を阻止し、収納容器を接地面に置くと脚体により結合容器体を膝の高さに保持する。持ち運ぶ時は、収納容器を持ち上げ操作板を外部方向へスライドすると先端部の逆入阻止が解放され、接地面に置くと支柱体が容器内に格納され止まる。この状態で操作板を元に戻すと、操作板と支柱係止溝とが係止固定状態となり、格納状態で収納容器を持ち運べる。【選択図】図１
2012096844.tif 000002
【特許請求の範囲】
【請求項１】
容器周囲壁四隅の内側に、逆円錐台形状の掛止片が自由に上下滑動可能、且つ該掛止片と支柱の大部分を格納可能な高さで有天円筒型の中空部が該容器底面に対して垂直に形成された容器と、前記中空部仮想中心軸延長線と同位置にある四つの基材端部に支柱が垂直立設され、且つ該支柱の側面の前記基材やや上部近傍に係止溝が形成された支柱体と、前記容器底面と略同一外寸の台材に前記支柱が上下方向に滑動可能な前記中空部仮想中心軸延長線と同位置に穿設された四つの遊貫孔と、該遊貫孔に重設してスライド板が収容摺動可能な一対支分のスライド凹溝と、該スライド凹溝に収容された切り欠部のあるスライド板を有する操作板からなる操作体とで構成されており、貫設され前記支柱の夫々の先端部に前記掛止片が固着されて脚体を形成し、該掛止片と前記支柱を介して前記基材とに挟まれている前記操作体を、前記容器底面に垂設固着した収納容器であって、該収納容器には四つの制御部が形成されており、該制御部は、前記台材に配設されている四つの前記遊貫孔の内で、略長手方向と平行に位置する二つの前記遊貫孔中心を直線で結んだ孔間延長線を略長手方向の一辺とし、前記掛止片の大径部の半径以上の内溝幅で外部方向または内部方向のいずれかの方向に同一な方向に向かって前記一対支分のスライド凹溝を台材の上面に開口して刻装し、さらには、該スライド凹溝の底面に有る夫々の前記遊貫孔に連通して前記掛止片を没入掛合させるテーパー孔を形成し、前記脚体を制御する前記スライド板には前記テーパー孔の開口縁に重置して、前記孔間延長線に沿って少なくとも夫々一つ以上の解放部と固定部が連通して変形波型状の切り欠部が一対支分に形成され、前記スライド板のスライドと前記脚体の該スライド板に対する上下位置により、前記固定部と前記支柱の前記係止溝との係止による前記掛止片および前記支柱の格納状態、前記解放部における前記支柱の上下滑動状態、前記固定部底面と没入掛止した前記掛止片の上面と当接し、該掛止片および前記支柱の前記中空部への逆入阻止による結合容器体の保持状態、の三つの状態に致しめる機能を持つ制御部であり、前記収納容器の上げ降ろし動作による前記脚体の上下滑動と前記操作板のスライドとを連動して操作することで、前記四つの制御部を同時に、且つ同一な機能にせしめて、接地面に対しての前記結合容器体の高さ位置を調整保持する位置決め手段を備えたことを特徴とする収納容器。
【請求項２】
前記操作板は板状のロ字型枠体であって、対向する略短手方向辺を一対の引き板となし、前記一対支分のスライド凹溝に収容されている夫々二つの前記制御部を持つ前記一対の支分スライド板を略長手方向辺として操作板が一体に形成されおり、該操作板のスライド操作の度に、四つの該制御部のすべてが同時に、且つ同一な機能を有することを特徴とした、請求項１に記載の収納容器。
【請求項３】
前記操作板は板状の一対の支分略コ型枠体であって、前記一対支分のスライド凹溝の一つのスライド凹溝に収容されているスライド板は、夫々一つの前記制御部を持つ一対の支分短スライド板が左右に離間して配置されており、上下関係に位置する二枚の該支分短スライド板を両側部とし、対向する略短手方向辺を一対の引き板を央部として一対の支分短操作板が一体形成されており、夫々対向する前記短スライド板の端部は、スライド凹溝略長手方向の中心に対して、一対の支分短操作板が同時に、且つ同一方向にスライド可能にせしめる連動部に架設連結されており、どちらか一方の該短操作板をスライド操作する度に、四つの該制御部のすべてが同時に、且つ同一な機能を有することを特徴とした、請求項１に記載の収納容器。
【発明の詳細な説明】
【技術分野】
【０００１】
本発明は、洗濯物や小物品を収容し、これを作業現場まで運搬し使用するための収納容器に関するものである。
【背景技術】
【０００２】
洗濯物を干したり、小物品を陳列棚に置いたりする際は、収納品が入った収納容器を接地面（床面）に置き、腰や膝を曲げて物を取り出す動作と腰や膝を直立して作業する動作を繰り返さなければならないので、重労働となっている。
【０００３】
このような重労働を解消するために、収納容器を接地面（床面）に対して上方に載置された状態にする発明が知られている。たとえば、収納容器に軸止した把手部を、下方に回転摺動し支持脚として兼用する収納容器（特許文献１参照）。収納容器底部に垂設された一対の支持脚を起立させた後に、折り畳み状態にする機能を備えた収納容器（特許文献２参照）や、収納容器の四隅に伸縮パイプを独立して備えた夫々の支柱を手で伸縮させる機能を備えた収納容器（特許文献３参照）や、周囲壁の外側面に片手で支持脚を操作する機能を持たせた収納容器（特許文献４参照）などが考えられている。
【０００４】
しかしながら、特許文献１から特許文献３においては収納物が入った重い収納容器を片手で持ちながら、一方の手で支持脚を操作する作業が煩雑であると共に、収納される物が重くなった時の設置安定性に問題があり、また、特許文献４においては支持脚の開脚時の操作性は改善されるが、元の状態に戻す操作性は改善されず複雑な構造であり生産コスト面等での問題がある。
【先行技術文献】
【特許文献】
【０００５】
【特許文献１】実開昭６１−５１０８６号公報
【特許文献２】特開２００３−２４５４９６号公報
【特許文献３】実開昭４９−６９２７３号公報
【特許文献４】実開昭５２−９１３３１号公報
【発明の概要】
【発明が解決しようとする課題】
【０００６】
本発明は以上に述べた実情に鑑み、操作性、設置安定性、生産コスト等面で優れた収納容器の提供を目的とする。
【課題を解決するための手段】
【０００７】
本発明は、上記課題を解決するための手段として、収納容器の構成を、容器周囲壁四隅の内側に、逆円錐台形状の掛止片が自由に上下滑動可能、且つ該掛止片と支柱の大部分を格納可能な高さで有天円筒型の中空部が該容器底面に対して垂直に形成された容器と、前記中空部仮想中心軸延長線と同位置にある四つの基材端部に支柱が垂直立設され、且つ該支柱の側面の前記基材やや上部近傍に係止溝が形成された支柱体と、前記容器底面と略同一外寸の台材に前記支柱が上下方向に滑動可能な前記中空部仮想中心軸延長線と同位置に穿設された四つの遊貫孔と、該遊貫孔に重設してスライド板が収容摺動可能な一対支分のスライド凹溝と、該スライド凹溝に収容された切り欠部のあるスライド板を有する操作板からなる操作体とで構成されており、貫設され前記支柱の夫々の先端部に前記掛止片が固着されて脚体を形成し、該掛止片と前記支柱を介して前記基材とに挟まれている前記操作体を、前記容器底面に垂設固着した収納容器であって、該収納容器には四つの制御部が形成されており、該制御部は、前記台材に配設されている四つの前記遊貫孔の内で、略長手方向と平行に位置する二つの前記遊貫孔中心を直線で結んだ孔間延長線を略長手方向の一辺とし、前記掛止片の大径部の半径以上の内溝幅で外部方向または内部方向のいずれかの方向に同一な方向に向かって前記一対支分のスライド凹溝を台材の上面に開口して刻装し、さらには、該スライド凹溝の底面に有る夫々の前記遊貫孔に連通して前記掛止片を没入掛合させるテーパー孔を形成し、前記脚体を制御する前記スライド板には前記テーパー孔の開口縁に重置して、前記孔間延長線に沿って少なくとも夫々一つ以上の解放部と固定部が連通して変形波型状の切り欠部が一対支分に形成され、前記スライド板のスライドと前記脚体の該スライド板に対する上下位置により、前記固定部と前記支柱の前記係止溝との係止による前記掛止片および前記支柱の格納状態、前記解放部における前記支柱の上下滑動状態、前記固定部底面と没入掛止した前記掛止片の上面と当接し、該掛止片および前記支柱の前記中空部への逆入阻止による結合容器体の保持状態、の三つの状態に致しめる機能を持つ制御部であり、前記収納容器の上げ降ろし動作による前記脚体の上下滑動と前記操作板のスライドとを連動して操作することで、前記四つの制御部を同時に、且つ同一な機能にせしめて、接地面に対しての前記結合容器体の高さ位置を調整保持する位置決め手段を備えたものである。
【０００８】
また、前記操作板は板状のロ字型枠体であって、対向する略短手方向辺を一対の引き板となし、前記一対支分のスライド凹溝に収容されている夫々二つの前記制御部を持つ前記一対の支分スライド板を略長手方向の略長手方向辺として操作板が一体に形成されおり、該操作板のスライド操作の度に、四つの該制御部のすべてが同時に、且つ同一な機能を有するものである。
【０００９】
また、前記操作板は板状の一対の支分略コ型枠体であって、前記一対支分のスライド凹溝の一つのスライド凹溝に収容されているスライド板は、夫々一つの前記制御部を持つ一対の支分短スライド板が左右に離間して配置されており、上下関係に位置する二枚の該支分短スライド板を両側部とし、対向する略短手方向辺を一対の引き板を央部として一対の支分短操作板が一体形成されており、夫々対向する前記短スライド板の端部は、スライド凹溝略長手方向の中心に対して、一対の支分短操作板が同時に、且つ同一方向にスライド可能にせしめる連動部に架設連結されており、どちらか一方の前記短操作板をスライド操作する度に、四つの該制御部のすべてが同時に、且つ同一な機能を有するものである。
【発明の効果】
【００１０】
請求事項1によれば、四本の支柱が脚体として一体化され上下滑動可能に容器内に格納されており、結合容器体の高さ位置を調節するための保持状態や、滑動状態や、格納状態にする時は、支柱を直接手で操作する必要がなく脚体の自重による自然落下を利用して、結合容器体の上げ下げで支柱の中空部内への挿脱可能であり、この作用に連動してスライド板をスライドするだけの単純な操作で前記の三つ状態が具現化できる収納容器であり、保持状態での設置安定性および耐荷重性に優れており、さらには、簡単な構造で部品点数が少なく加工コストが軽減されており実用性に優れた収納容器となる。
【００１１】
請求事項２によれば、二枚のスライド板を一体化して一枚の操作体として形成されており、片手で収納容器を持ち上げながらの操作体のスライド操作が容易に行えるので、簡単で操作性の優れた収納容器となる。
【００１２】
請求事項３によれば、左右にある二枚の操作板は、どちらか一枚の操作板を引き出すと他の操作板も引き出された状態になり、戻す時にも左右にある操作板を選択する必要なく、どちらかにある操作板を押し戻す操作をすれば良く、更なる操作性の向上が計られる。また、持ち手を付けない収納容器や収納物が重量物で持ち手を使用しない場合は、事前に接地面に載置された格納状態で操作板を引き出し、両手で引き板を手のひら部分で包み込みながら指先を差し込み段部より手掛け部に掛け、結合容器体を持ち上げながら両手の手のひら部分で操作板を押し戻す操作をして保持状態にする事が可能となり、用途の多様化が計られた収納容器となる。
【図面の簡単な説明】
【００１３】
【図１】本発明の収納容器の第一実施例で保持状態を示した斜視図である
【図２】第一実施例で固定状態を示した正面図である。
【図３】第一実施例で一部破断して、分解途中を示した正面図である。
【図４】第一実施例の操作体を示し、(Ａ) は平面図で、(Ｂ)は側面図である。
【図５】図４の制御部（イ）の部分で形成される操作板と脚体との動作態様を示す収納容器の部分縦断面図であって、            （ａ）は保持状態、（ｂ）は滑動状態、（ｃ）は固定状態を示している。
【図６】(Ａ) は図５のＸ-Ｘ線の断面図であって、(Ｂ)は(Ａ)のＹ−Ｙ線の断面図であり、（ａ）は保持状態、（ｂ）は滑動状態、（ｃ）は            固定状態を示している。
【図７】図４の規制部（ロ）の部分拡大図であり、保持状態と固定状態を示す。
【図８】第二実施例の短操作体を示し、(Ａ) は平面図で、(Ｂ)は側面図である。
【図９】図８の短操作部（ハ）の部分で形成される短操作板と脚体との動作態様を示す収納容器の図５のＸ-Ｘ線と同一な視点の            断面図であって、（ａ）は保持状態、（ｂ）は滑動状態、（ｃ）は固定状態を示している。
【図１０】図８の連結部（二）の部分拡大図であり、(ａ)は保持状態と固定状態、(ｂ)は滑動状態を示す。
【発明を実施するための形態】
【００１４】
以下、本発明の実施の形態を図面に基づいて説明する。図１〜図３は本発明の収納容器の実施の形態の第一実施例を示すものである。図１は収納容器１の保持状態を示す斜視図、図２は格納状態を示す正面図であり、図３は収納容器１の分解途中を一部破断した正面図であり、支柱５２が介在して基材５１と支柱５２の先端部に固着した逆円錐台形状の掛止片５４に挟まれた操作体３が、底２５の底面に垂設固着された結合容器体４と脚体５とで形成された収納容器１であることを特徴としている。
【００１５】
第一実施例を図１〜図７で説明する。容器２は、周囲壁２０に多数の矩形状の窓穴２1と、四隅の夫々の周囲壁２０の内側には、底２５に垂直で有天な円筒型の中空部２３が形成されており、この中空部２３は掛止片５４と支柱５２の大半を格納可能な高さと、大径部寸法Ｍの掛止片５４が中空部２３内で滑動可能な大径部寸法Ｍよりやや大きな中空部内径寸法Ｌで形成されている。また、周囲壁２０の略長手方向の上縁中央部には二つの対向する突条片２６が形成され、この突条片２６には略コ字型の持ち手２２が揺動自在に枢着されている。
【００１６】
脚体５は、図１と図３で示す通り、基材５１と支柱５２と、台材３０１を貫通した支柱５２の先端部に固着された掛止片５４とで構成されている。基材５１は円柱棒状で略Ｈ字型状に形成され、中空部２３の仮想中心延長線と同位置にある基材５１の端部より上方向へ垂直に支柱５２として延設されている。また、支柱５２の基材５１のやや上部近傍の側面には、外部方向に開口した凹溝の係止溝５３が形成されている。尚、この係止溝５３は図６で示す通り、固定部３０７の突片３０８との係止用であり開口部はスライド板３０４の板厚よりやや大きく、深さは突片３０８がスライド係入可能に形成されている。また、掛止片５４の逆円錐台形状の小径部直径寸法は、遊貫孔３０９の内径寸法＝Ｓと略同一であり支柱５２の直径寸法よりやや大きく形成されている。
【００１７】
操作体３は、図１〜図６で示す通り、底２５の外寸と略同一寸法の台材３０１と、その台材３０１の略長手方向に刻設された一対のスライド凹溝３１１に収容された制御部３００を構成する操作板３０２とで形成されている。台材３０１は厚板状で略短手辺の側面央部は内部方向に陥没させて，引き板３０３を引き出しやすく形成しており、手掛け部３１２の形成と軽量化を兼ねて中央部がくり抜かれて形成されている。台材３０１には中空部２３の中心延長線と同位置に支柱５２が上下方向に滑動可能な遊貫孔３０９が穿設され、その四つの遊貫孔３０９の内で、台材３０１の略長手方向と平行に位置する二つの遊貫孔３０９の中心を結んだ孔間延長線を略長手の一辺とし、中空部２３の内径寸法Ｌの半分以上の幅で外部方向にスライド凹溝３１１が、スライド板３０４の厚さでスライド可能に台材３０１の上面より刻設されている。さらには、スライド凹溝３１１の底面より遊貫孔３０９に連通して掛止片５４が完全に没入し掛合可能なテーパー孔３１０が開口縁部直径寸法として掛止片５４の大径部寸法＝Ｍ以上で中空部２３の内径寸法＝Ｌ以下で設けられている。このスライド凹溝３１1両端部の近傍内部方向の溝壁に連設して進退部３１３としてスライド板３０４と同一の厚さの引き板３０３の厚さで隙間が設けられており、引き出される反対側の引き板３０３を進入可能にし、且つ操作板３０２の移動範囲を制限する停止線３１４の役割となっている。また、台材３０１の略短手部の低面央部には、指先を手掛け部３１２に挿入可能にするための差し込み段部３１５が形成されている。
【００１８】
操作板３０２は、図４〜図６で示す通り、略ロ字型の枠型形状であり、略長手方向の長さは台材３０１の略長手より長く、スライド凹溝３１１に収容された対向する一対の支分スライド板３０４を長手となし、引き板３０３を対向する短手となしている。また、スライド板３０４の孔間延長線の辺に沿って、夫々のテーパー孔３１０の開口縁部に重置して突片３０８の固定部３０７と固定部３０７の左右に中空部２３の内径寸法Ｌを直径とした略半円の解放部３０６が連通して形成されている変形波型の切り欠部３０５を備えている。また、固定部３０７の突片３０８の先端部は前記孔間延長線の辺部位置を超えない高さとする。尚、中空部２３の内径寸法＝Ｌ＞掛止片５４の大径部寸法＝Ｍ＞遊貫孔３０９の内径寸法＝Ｓの関係になっている。
【００１９】
二つの規制部３１６は、図４と図７で示す通り、夫々のスライド板３０４の孔間延長線の辺部中央に対向する凹部にバネ３１７の両端部が略Ｕ字状に弾装され、スライド凹溝３１１には板バネ３１７の膨出部の受け部３１８としてスライド凹溝３１１に略Ｕ字状に凹部が設けられており、この部分での係止により操作板３０２のセンター位置を決めている。
【００２０】
次に、上述した如くの構成をなす収納容器１を使用する場合の動作態様について図５と図６で説明する。保持状態は、突片３０８の底面と掛止片５４の上面とが当接しており、脚体５の中空部２３への逆入を阻止して結合容器体４を膝の高さ位置に保持している状態である。この状態の収納容器１を格納状態にして持ち運ぶ時は、左右にある何れかの操作板３０２を外部方向に引き出すと、固定部３０７から左右にあるとちらかの解放部３０６へ移動し、解放部３０６と開口部２４とが連通し脚体５が滑動可能になり、掛止片５４が解放部３０６を通過し結合容器体４が自然落下し、脚体５の掛止片５４と支柱５２の大半が中空部２３に格納された状態になる。あるいは、持ち手２２で収納容器１を持ち上げながら操作板３０２を外方向に引き出すと、脚体５が滑動可能になり収納容器１を接地面に置くことで同様に逆入し格納状態となる。この状態で、引き出された操作板３０２を元の位置押し戻すと、解放部３０６から固定部３０７へと移動し突片３０８と係止溝５３とで係止され、格納状態で脚体５が固定されコンパクトな状態で持ち運ぶことができる。
【００２１】
次に、結合容器体４を保持状態にする時は、持ち手２２で脚体５が格納状態で係止固定されている収納容器１を持ち上げながら左右にある何れかの操作板３０２を外部方向に引き出すと、固定部３０７から左右にあるとちらかの解放部３０６に移動して解放され脚体５が滑動可能になり、脚体５が自然落下し掛止片５４がテーパー孔３１０で掛止された状態となる。この状態で、操作板３０２を元の位置に押し戻すと解放部３０６から固定部３０７へと移動し、収納容器１を接地面に載置すると突片３０８の底面と掛止片５４の上面とが当接し、脚体５の中空部２３への逆入を阻止して結合容器体４を膝の高さ位置に保持している状態となる。あるいは、事前に接地面にある格納状態で左右にある何れかの操作板３０２を外部方向に引き出した後に、持ち手２２で収納容器１を持ち上げると脚体５の掛止片５４がテーパー孔３１０で掛止され脚体５が浮上した状態で操作板３０２を元の位置押し戻した後に、収納容器１を接地面に載置し保持状態にすることができる。
【００２２】
次に、第二実施例を図８〜図１０で説明する。本実施例は前述の第一実施例にある一枚の操作板３０２を一対の支分短操作板３５２に変更したものであり、変更部分とそれに関連する変更部分についてのみ符号を変更して表示する。尚、使用方法については略同様である。
【００２３】
まず、短操作板３５２は略コ型枠体であり、上下に位置する一対の短スライド凹溝３６６の夫々に、夫々一つの短切り欠部３５５を持つ一対の支分短スライド板３５４が離間して配設されており、上下に位置する一対の支分短スライド板３５４を両側部とし、引き板３０３を央部として一体に形成されとおり、一対の支分の短操作板３５２が一対の短スライド凹溝３６６に収容摺動が可能に配設されている。また、夫々の短スライド板３５４には第一実施例と同様に短切り欠部３５５を有しており、前記孔間延長線の辺部位置を超えない高さの段片３５８で形成された一つの短固定部３５７と内部方向に連通して、筒内径寸法Ｌの半分を半径とした略半円の一つの短解放部３５６で形成されている。また、短スライド板３５４の対向している先端部近傍にはバンド３６３の係合突起３６４との係合孔３６５が楕円形に穿設されている。
【００２４】
短台材３５１の短進退部３５９および短停止線３６０は、図４で示す第一実施例の操作板３０２の移動距離より少ない短操作板３５２に呼応して、略短手辺からの内部方向への距離は短く形成されている。また、短スライド凹溝３６６の中央部底面には略長手方向に沿って可撓性を有するバンド３６３が収容摺動可能な略「Ｊ」型のガイド凹溝３６２に収容されて連結部３６１が形成されており、バンド３６３の両端部に突設された楕円柱状の係合突起３６４と係合孔３６５とで連動可能に架設連結されており、短スライド凹溝３６６略長手方向の中心に対して一対の支分略コ型枠体が同一方向にスライドする事で、引き出された短操作板３５２を押し戻す時に短操作板３５２を選択する必要が無くなる。また、この連結部３６１は短操作板３５２の中央停止位置とスライド移動範囲の規制機能を兼ね備えている。
【００２５】
本発明の収納容器のすべての部材として、合成樹脂により作成出来るが、耐久性や収納物に対する耐荷重性を勘案して、部分的に金属や合成樹脂部材の芯材としての金属を適宜使用可能である。また、容器２と操作体３との固着方法および支柱５２の先端部と掛止片５４との固着方法は、接着のほかに嵌着、螺着としてもよい。本発明は以上に述べた実施形態に限定されるものではなく、例えば以下のように、発明の趣旨から逸脱しない範囲で適宜変更して具体化する事もできる。
（１）本発明の実施の形態の操作体３に刻設するスライド凹溝３１１・短スライド凹溝３６６は、孔間延長線を一辺として溝幅の方向を外部方向として説明しているが、内部方向として設計変更可能である。  
（２）本発明の実施の形態の脚体５の形状は、基材５１の形状をＸ字形状やロ形状にして一体に成型したり、基材５１と支柱５２の断面形状を違った形状にして基材５１の端部に支柱５２を垂設固着したり、支柱５２の断面形状を楕円や多角形としてもよい。
【符号の説明】
【００２６】
１    収納容器
２    容器
３    操作体
４    結合容器体
５    脚体
２３    中空部
５３    係止溝
５４    掛止片
５５    支柱体
３００    制御部
３０１    台材
３０２    操作板
３０３    引き板
３０４    スライド板
３０５    切り欠部
３０６    解放部
３０７    固定部
３０８    突片
３０９    遊貫孔
３１０    テーパー孔
３１１    スライド凹溝
３１６    規制部
３５０    短制御部
３５１    短台材
３５２    短操作板
３５４    短スライド板
３６１    連結部
Ｌ    中空部２３の内径寸法
Ｍ    掛止片５４の大径部寸法
Ｓ    遊貫孔３０９の内径寸法
【図１】
2012096844.tif 000003
【図２】
2012096844.tif 000004
【図３】
2012096844.tif 000005
【図４】
2012096844.tif 000006
【図５】
2012096844.tif 000007
【図６】
2012096844.tif 000008
【図７】
2012096844.tif 000009
【図８】
2012096844.tif 000010
【図９】
2012096844.tif 000011
【図１０】
2012096844.tif 000012